(57)【特許請求の範囲】
【請求項１】
前後一対のニードルベッドを先端部を突き合わせた状態で配設し、該ニードルベッドの上面に形成される溝内には編針を進退自在に保持し、ニードルベッドの何れか一方又は双方が他方のニードルベッドに対しラッキング可能に構成され、少なくとも一方のニードルベッド上にその上面に形成される溝内に先端部にループ係止部を有するトランスファージャックを進退自在に保持するトランスファージャックベッドを備えた横編機において、
ループ係止部を前後ニードルベッド間の歯口上方に進出させた進出位置で、上昇位置と下降位置との間で揺動可能に保持されるトランスファージャックと、
ラッキングを行う際、ループを係止したトランスファージャックのループ係止部を進出位置で少なくとも前記ニードルベッドに設けられた編み部材と干渉しない高さまで上昇させた位置で保持するトランスファージャック保持手段と、
該トランスファージャック保持手段によるトランスファージャックのループ係止部の上昇させた位置での保持およびその解除を選択的に行うトランスファージャック制御手段とからなり、
前記トランスファージャック保持手段は、前記トランスファージャックと別部材で形成し、前記トランスファージャックベッドに形成される溝内にトランスファージャックと共にそれぞれ進退自在に設けられるトランスファージャック制御片を含み、該トランスファージャック制御片とトランスファージャックの進退方向における相対移動により、トランスファージャック制御片とトランスファージャックとを係合させてトランスファージャックのループ係止部を進出位置で上昇位置に保持し、さらにループ係止部の進出位置においてトランスファージャック制御片を移動させてトランスファージャック制御片とトランスファージャックとの係合を解除し、トランスファージャックのループ係止部を下降可能とすることを特徴とする目移し機構を備えた横編機。
【請求項２】
前記トランスファージャックの上面に凹部を形成し、該凹部内に前記トランスファージャック制御片を摺動可能に設け、凹部の下面後部にはトランスファージャック制御片の後端部と係合する係合部を形成し、該係合部より前方の凹部の下面にはトランスファージャックを揺動可能とするための前記トランスファージャック制御片の後端部が挿入する切り欠き部を形成し、
前記トランスファージャック制御手段は、前記トランスファージャック制御片を前記凹部内後方に位置させてトランスファージャックとトランスファージャック制御片とを係合させ、前記トランスファージャック制御片を凹部内前方に位置させてトランスファージャックとトランスファージャック制御片との係合を解除することを特徴とする、請求項１に記載の目移し機構を備えた横編機。
【発明の詳細な説明】
【技術分野】
【０００１】
本発明は先端部にループ係止部を有するトランスファージャック（以下、ＴＲジャックとする）が多数植設されるトランスファージャックベッド（以下、ＴＲジャックベッドとする）をニードルベッド上に備え、ＴＲジャックベッドのＴＲジャックとニードルベッドの編針との間で目移しを行う目移し機構を備えた横編機に関する。
【背景技術】
【０００２】
上面に形成される溝内に編針を進退自在に保持してなる前後一対のニードルベッドを有し、その何れか一方又は双方のニードルベッドが他方のニードルベッドに対して左右方向にラッキング可能に構成され、少なくとも一方のニードルベッド上にその上面に形成される溝内にＴＲジャックを進退自在に保持するＴＲジャックベッドを備えた横編機は特許登録第２７９４１４４号公報により公知である。該公報では、ＴＲジャックベッドとニードルベッドが相対的に長手方向にラッキング可能に構成され、前後のニードルベッドの編針間およびニードルベッドの編針とＴＲジャックベッドのＴＲジャック間でのループの受け渡しが可能である。ニードルベッドの編針に係止されるループをＴＲジャックベッドのＴＲジャックへ目移しし、ＴＲジャックベッドをラッキングした後、ＴＲジャックに係止されるループをニードルベッドの編針に目移しすることにより、ループの側方移しが可能な横編機が開示されている。
【０００３】
また特開平１１−１８５０号公報では、ＴＲジャックに係止されたループを編針に目移しするとき、ＴＲジャックのループ係止部がループを越えて後退する際にＴＲジャック先端を押し下げた状態で後退させる目移し装置を備えた横編機について開示している。  
【発明の開示】
【発明が解決しようとする課題】
【０００４】
上記特許登録第２７９４１４４号公報に開示される横編機では、ＴＲジャックをニードルベッドの先端部よりも高い位置で水平方向に直線的に進退動させる。このためＴＲジャックに係止されたループを編針に目移しする際に、ループが引き伸ばされ編地の品質が損なわれるという問題がある。
【０００５】
上記特開平１１−１８５０号公報では、特許登録第２７９４１４４号公報における問題を解決するために、ＴＲジャックのループ係止部がループを越えて後退する際にＴＲジャック先端を押し下げた状態で後退させることで、ループにかかる負荷を軽減することができる。
【０００６】
しかしながら上記公報に開示された何れの横編機も、ＴＲジャックがニードルベッド間の歯口上方の進出位置では、ラッキング時にニードルベッドの編針やシンカープレート等の編み部材との干渉を避けるために、ニードルベッドの先端よりも高い位置となるようにしている。したがってＴＲジャックを進出させた位置でＴＲジャック先端のループ係止部を上下方向へ揺動させることができない。このためＴＲジャックの進出位置ではループ係止部に係止したループに負荷がかかってしまう。
【０００７】
上記した問題点を鑑み、本発明は、ＴＲジャックのループ係止部を進出位置で選択的に上昇位置に保持およびその解除を行うことができ、ループ係止部の進出位置においてループ係止部の下降量を大きくすることでループにかかる負荷をさらに軽減することのできる、目移し機構を備えた横編機を提供することを目的とする。
【課題を解決するための手段】
【０００８】
本発明では、前後一対のニードルベッドを先端部を突き合わせた状態で配設し、該ニードルベッドの上面に形成される溝内には編針を進退自在に保持し、ニードルベッドの何れか一方又は双方が他方のニードルベッドに対しラッキング可能に構成され、少なくとも一方のニードルベッド上にその上面に形成される溝内に先端部にループ係止部を有するトランスファージャックを進退自在に保持するトランスファージャックベッドを備えた横編機において、
ループ係止部を前後ニードルベッド間の歯口上方に進出させた進出位置で、上昇位置と下降位置との間で揺動可能に保持されるトランスファージャックと、
ラッキングを行う際、ループを係止したトランスファージャックのループ係止部を進出位置で少なくとも前記ニードルベッドに設けられた編み部材と干渉しない高さまで上昇させた位置で保持するトランスファージャック保持手段と、
該トランスファージャック保持手段によるトランスファージャックのループ係止部の上昇させた位置での保持およびその解除を選択的に行うトランスファージャック制御手段とからなり、
前記トランスファージャック保持手段は、前記トランスファージャックと別部材で形成し、前記トランスファージャックベッドに形成される溝内にトランスファージャックと共にそれぞれ進退自在に設けられるトランスファージャック制御片を含み、該トランスファージャック制御片とトランスファージャックの進退方向における相対移動により、トランスファージャック制御片とトランスファージャックとを係合させてトランスファージャックのループ係止部を進出位置で上昇位置に保持し、さらにループ係止部の進出位置においてトランスファージャック制御片を移動させてトランスファージャック制御片とトランスファージャックとの係合を解除し、トランスファージャックのループ係止部を下降可能とすることを特徴とする。
【０００９】
また好ましくは、前記トランスファージャックの上面に凹部を形成し、該凹部内に前記トランスファージャック制御片を摺動可能に設け、凹部の下面後部にはトランスファージャック制御片の後端部と係合する係合部を形成し、該係合部より前方の凹部の下面にはトランスファージャックを揺動可能とするための前記トランスファージャック制御片の後端部が挿入する切り欠き部を形成し、
前記トランスファージャック制御手段は、前記トランスファージャック制御片を前記凹部内後方に位置させてトランスファージャックとトランスファージャック制御片とを係合させ、前記トランスファージャック制御片を凹部内前方に位置させてトランスファージャックとトランスファージャック制御片との係合を解除することを特徴とする。
【発明の効果】
【００１０】
この発明では、ＴＲジャックの進出位置でループ係止部の上昇位置での保持及びその解除は、ＴＲジャック制御片を移動させて行う。ＴＲジャック制御片をＴＲジャックに係合させることでループ係止部を上昇位置に保持し、ＴＲジャック制御片とＴＲジャックとの係合を解除することでループ係止部を下降位置に下降可能とする。よってＴＲジャックの進出位置でのループ係止部を上昇位置に保持及びその解除を、複雑な構成を必要とせずに実現することができる。これによりＴＲジャックの進出位置でＴＲジャックのループ係止部を上昇位置に保持及びその解除を選択的に行うことができ、ラッキング時にループ係止部を上昇位置に保持することでＴＲジャックが編み部材に干渉することはなく、またループ係止部を進出位置において下降位置に下降させることで、ループにかかる負荷を軽減することができる。
【００１１】
またＴＲジャックに形成する凹部内に、ＴＲジャックとＴＲジャック制御片の後端部が係合する係合部と、ＴＲジャックが揺動した際、ＴＲジャック制御片の後端部が挿入する切り欠き部を形成する。これにより、ＴＲジャックの進出位置でのループ係止部の選択的な上昇位置での保持と、ループ係止部の上昇位置での保持を解除した際のＴＲジャックの揺動を、複雑な構成を必要とせずに実現することができる。
【発明を実施するための最良の形態】
【００１２】
以下にこの発明を実施するための最良の形態を図面を参照して説明する。
【実施例】
【００１３】
図１は横編機の縦断面図であって、図中符号１は横編機を全体的に示す。図２は図１の部分拡大図であり、図３は後述のＴＲジャックとトランスファージャック制御片（以下、ＴＲジャック制御片とする）の側面図である。そして図４はＴＲジャック制御用カム群を示した透視図である。
【００１４】
横編機１は、前後一対のニードルベッド２ａ，２ｂを“ハ”の字形にその先端部を対峙させた状態で設け、前方のニードルベッド２ａ（以下、前ベッドとする）の上方に設けられ上面に形成されるＴＲジャック溝４内にＴＲジャック６を保持するＴＲジャックベッド８を備える。ＴＲジャックベッド８は、不図示の駆動手段によりニードルベッド２ａ，２ｂの長手方向にラッキング可能に構成される。ニードルベッド２ａ，２ｂはニードルベッド基板１０上に形成した溝内にニードルプレート１２を立設し、隣接するニードルプレート１２・１２間に針溝１４を形成する。各針溝１４内には編針１６ａ，１６ｂを前後ニードルベッド２ａ，２ｂ間の歯口中央線Ｗ−Ｗに向けて進退動可能に保持する。前ベッド２ａ及び後方のニードルベッド２ｂ（以下、後ベッドとする）は不図示の駆動手段によりそれぞれニードルベッド２ａ，２ｂの長手方向にラッキング可能に構成される。
【００１５】
本実施の形態では、針溝１４内に装着される編針１６の後端部に形成する凹部２０と係合する凸部２２が形成されるニードルジャック２４の不図示のバットと、スライダー２６のバット２８がニードルベッド上を不図示のベルト駆動手段により往復走行する前後一対のキャリッジ３０ａ，３０ｂに設けたカム３２ａ，３２ｂにより、進退操作されてフック３４の開閉を行うスライドニードルを使用する場合について説明を行う。
スライダー２６は薄板状のプレートを２枚重ねて形成され、スライダー２６の先端が編針１６のフック３４に向けて進出することで、編針１６のフック３４によりスライダー２６が左右に押し広げられ目移し用の空間が形成される。ループ３６は左右に押し広げられたスライダー２６の肩部３８に係止されて目移し位置へと上昇される。編針１６はニードルベッド２の長手方向に装着した帯金４０により針溝１４内に保持される。ニードルジャック２４は不図示のセレクトジャック，セレクタと共に針溝１４内に装着され、キャリッジ３０のプレッサーにより針溝１４内に没入する方向に押圧されることでバットがキャリッジ３０上のカムに係合しない位置へと没入される。
【００１６】
前後ニードルベッド２ａ，２ｂ間の歯口４２には固定式のシンカー４４ａ，４４ｂが編針１６・１６間に設けられる。ＴＲジャックベッド８は前ベッド２ａに装着したニードルプレート１２を所定枚数おきに上方へ延長し、延長部分４６をＴＲジャックベッド８の支持部とする。ＴＲジャックベッド８はニードルベッド２ａの針溝１４と同ピッチで形成したＴＲジャック溝４内にＴＲジャック６を保持する。ＴＲジャック６は先端部にループ３６を係止するループ係止部４８を形成し、後端部には選針用バット５０ａ，５０ｂが形成され、ベンド部５２によりＴＲジャック溝４の側壁に押し当てられ妄動を防止する。
【００１７】
ＴＲジャック６上面には、キャリッジ３０ａ上のカムがその前面及び後面に当接する進退制御用バット５４と、前記ＴＲジャック６のベンド部５２を挟んでＴＲジャック６の先端側に設けられる下げカム作用部５６が形成される。また、ＴＲジャック６の底面には先端に向かって高くなる傾斜面５８を形成し、仮想軸６０を中心に揺動可能な形状とする。
【００１８】
ＴＲジャック６の進退制御用バット５４と下げカム作用部５６との間には凹部６２を形成する。凹部６２の下面には、後方部に後述のＴＲジャック制御片６４の後端部６６が係合する係合面６８を形成する。そして凹部６２下面の係合面６８の前方の下方から仮想軸６０の上方にかけて、先端に向かって高くなる傾斜面を有する切り欠き部７０を形成し、ＴＲジャック６が仮想軸６０を中心として揺動した時に後述のＴＲジャック制御片６４の後端部６６が切り欠き部７０に入り込むようにしている。
ＴＲジャック６下面には膨出部７２を形成し、ＴＲジャック６が後退したときにＴＲジャックベッド８と当接して、ＴＲジャック６のループ係止部４８を上昇位置に押し上げる。
【００１９】
進退制御用バット５４と下げカム作用部５６との間に形成された凹部６２内には、ＴＲジャック制御片６４が摺動可能に設けられる。ＴＲジャック制御片６４は先端部の上面にキャリッジ３０ａ上のカムがその前面及び後面に当接する進退制御用バット７４が形成され、後端部６６と進退制御用バット７４との間には、ＴＲジャック溝４の側壁に押し当てて妄動を防止するためのベンド部７６が形成される。
ＴＲジャック６及びＴＲジャック制御片６４は、ＴＲジャックベッド８の長手方向に装着した帯金７８によりＴＲジャック溝４内に保持される。そしてＴＲジャック６の係合面６８上にＴＲジャック制御片６４の後端部６６が重なることでＴＲジャック６とＴＲジャック制御片６４は係合し、ＴＲジャック制御片６４を介して帯金７８により上方から押さえられ、ＴＲジャック６は揺動せずにループ係止部４８を上昇位置に保持する。
そしてＴＲジャック６を進出させてＴＲジャック６の膨出部７２がＴＲジャックベッド８に当接しない状態の時に、ＴＲジャック制御片６４を移動させＴＲジャック６の係合面６８とＴＲジャック制御片６４の後端部６６とを重ならないようにして係合を解除することにより、ＴＲジャック６とＴＲジャック制御片６４の後端部６６との間には切り欠き部７０による隙間が空く。またＴＲジャック６の底面には傾斜面５８を形成しているため、ＴＲジャック６は仮想軸６０を中心として揺動することが可能となる。
【００２０】
ＴＲジャックベッド８には、異なる位置に選針用バット５０ａ，５０ｂが形成された数枚のＴＲジャック６を一群として１インチ毎に交互に配置される。ＴＲジャック６はキャリッジ３０の移動方向の異なる位相に設けた選針アクチュエータ８０ａ，８０ｂにより選択されたＴＲジャック６が歯口４２に向けて進退動される。
【００２１】
キャリッジ３０ａに設けられるＴＲジャック制御カム８２は、第１カム群８４と第２カム群８６とから構成される。第１カム群８４は前記ＴＲジャック６の進退制御用バット５４に作用し、第２カム群８６は前記ＴＲジャック制御片６４の進退制御用バット７４及びＴＲジャック６の下げカム作用部５６に作用する。
第１カム群８４は、ガイドカム８８，９０から構成され、第２カム群８６は、ガイドカム９２，９４，９６と、ＴＲジャック６の下げカム作用部５６に作用する下げカム９８から構成される。
本実施の形態では、進出位置に選択されたＴＲジャック６の進退制御用バット５４及びＴＲジャック制御片６４の進退制御用バット７４の軌道は、キャリッジの走行方向により異なるように構成している。
なお、本実施の形態ではキャリッジ３０ａに設けられる上記ガイドカム８８，９０，９２，９４，９６は固定カムとするが、これらのカムを出没式のような可動カムにより構成することも可能である。
【００２２】
選針アクチュエータ８０ａ，８０ｂは、キャリッジ３０ａの移動方向において中央部が高く両端が低い作用面１００ａ，１００ｂを有し、目移しを行うＴＲジャック６が選針アクチュエータ８０ａ，８０ｂを通過する際に不作用位置から作用位置へと変位させ、作用面１００ａ，１００ｂで選針用バット５０ａ，５０ｂを前方へ押し出す。目移ししないＴＲジャック６が通過する際には、選針アクチュエータ８０ａ，８０ｂを不作用位置に保持してＴＲジャック６を進出させない。
【００２３】
以下の説明では、後ベッド２ｂの編針１６ｂに係止されるループ３６をＴＲジャック６に目移しし、後ベッド２ｂをラッキングした後、隣接する後ベッド２ｂの編針１６ｂに目移しする編成を行う際の作用について説明を行う。
【００２４】
まず、図４と図５を使用して後ベッド２ｂの編針１６ｂからＴＲジャック６への目移しについて説明を行う。
図５の（１）〜（４）は、図４においてＴＲジャック６の進退制御用バット５４とＴＲジャック制御片６４の進退制御用バット７４が（１）〜（４）の位置に達した時のＴＲジャック６とＴＲジャック制御片６４と編針１６ｂの状態を示す図である。図４の矢印Ｘはキャリッジ３０ａの進行方向を示し、ＴＲジャック６の進退制御用バット５４とＴＲジャック制御片６４の進退制御用バット７４は左から右に向かって移動する。
【００２５】
図４で後ベッド２ｂの編針１６ｂからＴＲジャック６への目移しのために、進出位置に選択されたＴＲジャック６の進退制御用バット５４は軌道ａに沿って移動し、ＴＲジャック制御片６４の進退制御用バット７４は軌道ｂに沿って移動する。また、進出位置に選択されなかったＴＲジャック６の進退制御用バット５４は軌道ｃに沿って移動し、ＴＲジャック制御片６４の進退制御用バット７４は軌道ｄに沿って移動する。
【００２６】
目移しを行うコースでＴＲジャック６及びＴＲジャック制御片６４は左から右に向かって移動し、図４の（１）の位置に達するとループ３６を受け取るＴＲジャック６を進出させるために、選針アクチュエータ８０ａを不作用位置から作用位置へと変位させる。
（２）の位置に達するとループ３６を受け渡す後ベッド２ｂの編針１６ｂは、ループ３６が編針１６ｂのフック３４から出てスライダー２６の肩部３８に係止されて目移し位置へと上昇される。ループ３６を受け取るＴＲジャック６は、選択されたＴＲジャック６の選針用バット５０ａが選針アクチュエータ８０ａの作用面１００ａに当接し、歯口４２に向けて進出が開始される。
この選針アクチュエータ８０ａによるＴＲジャック６の進出により、図５の（２）のようにＴＲジャック制御片６４の後端部６６がＴＲジャック６に形成した凹部６２内の係合面６８上にＴＲジャック制御片６４の後端部６６が重なり、ＴＲジャック６とＴＲジャック制御片６４とは係合した状態となる。
【００２７】
（３）の位置では、ＴＲジャック６はガイドカム９０によりさらに歯口４２に向けて進出する。この時、ＴＲジャック６の凹部６２内に設けられたＴＲジャック制御片６４はＴＲジャック６の進出により、ＴＲジャック制御片６４も歯口方向に移動する。またループ３６を肩部３８に係止したスライダー２６は更に上昇し、ループ３６を歯口中央線Ｗ−Ｗ上に位置させる。
（１）から（３）においては、ＴＲジャック６の下面に形成した膨出部７２がＴＲジャックベッド８上に当接すると共に、ＴＲジャック６の係合面６８上にＴＲジャック制御片６４の後端部６６が重なっているため、ＴＲジャック６はループ係止部４８を上昇位置に保持し、仮想軸６０を中心として揺動することはない。
【００２８】
（４）の位置では、ＴＲジャック６のループ係止部４８が進出位置に進出され、ループ係止部４８がスライダー２６に係止されたループ３６内に進入する。（４）ではＴＲジャック６が進出位置となり、ＴＲジャック６の膨出部７２がＴＲジャックベッド８に当接していないが、ＴＲジャック６の係合面６８上にＴＲジャック制御片６４の後端部６６が位置することでＴＲジャック６とＴＲジャック制御片６４とが係合しているため、ＴＲジャック６は揺動せずループ係止部４８は上昇位置を保持する。次に編針１６ｂが下降され、編針１６ｂからＴＲジャック６にループ３６が受け渡される。そしてループ３６が受け渡されたＴＲジャック６のループ係止部４８は上昇位置を保持したままでキャリッジ３０ａ，３０ｂが通過する。キャリッジ３０ａ，３０ｂが通過してもこの状態は保持される。そして後ベッド２ｂのラッキングを行うが、この時ＴＲジャック６のループ係止部４８は上昇位置を保持しているためシンカープレート４４ａ，４４ｂや編針１６ａ，１６ｂ等の編み部材と干渉することはない。
【００２９】
次に図６と図７を使用してＴＲジャック６から後ベッド２ｂの編針１６ｂへの目移しについて説明を行う。
図６はＴＲジャック制御カム８２の透視図であり、図７の（５）〜（８）は図６においてＴＲジャック６の進退制御用バット５４とＴＲジャック制御片６４の進退制御用バット７４が（５）〜（８）の位置に達した時のＴＲジャック６とＴＲジャック制御片６４と編針１６ｂの状態を示す図である。図６の矢印Ｙはキャリッジ３０ａの進行方向を示し、ＴＲジャック６の進退制御用バット５４とＴＲジャック制御片６４の進退制御用バット７４は右から左に向かって移動する。図６で後ベッド２ｂの編針１６ｂからＴＲジャック６への目移しのために進出位置に選択されたＴＲジャック６の進退制御用バット５４は軌道ｅに沿って移動し、ＴＲジャック制御片６４の進退制御用バット７４は軌道ｆに沿って移動する。
【００３０】
後ベッド２ｂの編針１６ｂからＴＲジャック６への目移しが行われ、後ベッド２ｂのラッキングが完了した後、キャリッジ３０ａが反転し矢印Ｙ方向への走行が開始される。ＴＲジャック６が図６の（５）の位置に達すると、ループ３６を受け取る編針１６ｂは進出しループ３６内に編針１６ｂのフック３４が進入する。この時ＴＲジャック１６とＴＲジャック制御片６４とは係合しているため、ループ係止部４８は上昇位置を保持している。
【００３１】
（６）の位置では、ガイドカム９４によりＴＲジャック制御片６４は更に歯口方向へ移動する。これによりＴＲジャック制御片６４の後端部６６は、ＴＲジャック６の係合面６８から離れＴＲジャック６とＴＲジャック制御片６４との係合が解除される。そしてＴＲジャック制御カム８２の第２カム群８６に設けた下げカム９８が、ＴＲジャック６の下げカム作用部５６に作用しＴＲジャック６を仮想軸６０を中心として揺動させ、ループ係止部４８を下降位置に下降させる。このＴＲジャック６の揺動時、ＴＲジャック制御片６４の後端部６６はＴＲジャック６の凹部６２に形成した切り欠き部７０に入り込む。
なお、ＴＲジャック６とＴＲジャック制御片６４との係合を解除した時点で、ＴＲジャック６のループ係止部４８は係止するループ３６の張力によりある程度下降するが、本実施の形態ではループ係止部４８を確実に下降位置まで下降させるためにＴＲジャック制御カム８２に下げカム９８を設けている。
【００３２】
（７）の位置では、ＴＲジャック６を後退させ下降位置にあるループ係止部４８をループ３６から抜く。この時ＴＲジャック６のループ係止部４８は下降位置に下降されているため、ループ係止部４８からループ３６が抜ける時にループ３６にかかる負荷が軽減されると共に、ループ３６は確実に編針１６ｂのフック３４内に係止することができる。
【００３３】
（８）の位置では、さらにＴＲジャック６を後退させると共に、ＴＲジャック制御片６４も後退させる。ＴＲジャック６の後退により下面に設けた膨出部７２がＴＲジャックベッド８の上面に当接し、ＴＲジャック６のループ係止部４８は上昇位置へと戻される。またＴＲジャック６の係合面６８上にＴＲジャック制御片６４の後端部６６を重ねて、ＴＲジャック６とＴＲジャック制御片６４とを係合させる。そしてループ３６はＴＲジャック６から開放されて、ＴＲジャック６から編針１６ｂへの目移しは完了する。
【００３４】
上記の説明ではＴＲジャック６と後ベッド２ｂの編針１６ｂ間での目移しについて説明したが、ＴＲジャック６と前ベッド２ａの編針１６ａ間の目移しでも同様に作用する。
【００３５】
このように本発明では、ＴＲジャック６を進出位置でループ係止部４８を選択的に上昇位置に保持およびその解除を行うことができる。
【００３６】
次に本発明の第２の実施の形態を図８を使用して説明を行う。本実施の形態においても、ＴＲジャック溝４内にＴＲジャック１０２を保持し、ＴＲジャック１０２の上面に形成した進退制御用バット１０４と下げカム作用部１０６との間には凹部１０８を形成する。凹部１０８内にはＴＲジャック制御片１１０を摺動可能に設ける。
本実施の形態においては、ＴＲジャック１０２の凹部１０８内には切り欠き部を形成せず、ＴＲジャック１０２の底面とＴＲジャック制御片１１０の後端上部には、同じ曲率の円弧１１２，１１４をそれぞれ形成している点が前の実施の形態と異なる。
【００３７】
そしてＴＲジャック１０２が進出位置にある時、ＴＲジャック制御片１１０をＴＲジャック１０２の凹部１０８の前方に移動させ、ＴＲジャック１０２に形成した円弧１１２とＴＲジャック制御片１１０に形成した円弧１１４の中心が重なった時にＴＲジャック１０２が揺動可能となる。またＴＲジャック制御片１１０の後端部１１６がＴＲジャック１０２の凹部１０８内で仮想軸１１８の後方の係合面１２０に位置する時には、ＴＲジャック１０２は揺動せずＴＲジャック１０２のループ係止部１２２を上昇位置に保持する。
【００３８】
なお、上記の実施の形態では編針１６ｂからＴＲジャック６への目移しが完了した後のニードルベッド２ｂのラッキング時には、進出位置にあるＴＲジャック６のループ係止部４８は上昇位置に保持される。この上昇位置とは少なくともニードルベッド２ａ，２ｂに設けた編み部材との干渉が避けられる高さまで上昇した位置であれば構わない。
【００３９】
またＴＲジャック６は、後退した位置から進出位置まで水平方向に直線的に移動するように構成しているが、これは例えば進出位置に達するまでに一旦ＴＲジャックのループ係止部を下降させた後に、進出位置で上昇位置を保持およびその解除を選択的に行うようにしても構わない。またＴＲジャックを下降位置から水平方向に移動させ、進出位置で上昇位置を保持およびその解除を行うようにしても構わない。
【００４０】
また、上記実施の形態での横編機１は、編針１６ａ，１６ｂにスライドニードルを使用し、固定シンカー４４ａ，４４ｂを設けた例について説明を行ったが、編針はラッチニードルでも実施可能であるし、シンカーは可動シンカーでも構わない。
【００４１】
以上、本発明の好適な実施の形態を示したが、本発明は上記実施の形態に限定されるものではなく、本発明の主旨に逸脱しない範囲において実施可能である。
【図面の簡単な説明】
【００４２】
【図１】本発明の実施の形態に係わる目移し機構を備えた横編機の縦断面図である。
【図２】図１の部分拡大図である。
【図３】本実施の形態におけるＴＲジャックとＴＲジャック制御片の側面図である。
【図４】編針からＴＲジャックへの目移しの際のＴＲジャック制御カムの透視図である。
【図５】ＴＲジャック及びＴＲジャック制御片が図４の（１）〜（４）の位置にある時のＴＲジャックとＴＲジャック制御片と編針を示す図である。
【図６】ＴＲジャックから編針への目移しの際のＴＲジャック制御カムの透視図である。
【図７】ＴＲジャック及びＴＲジャック制御片が図６の（５）〜（８）の位置にある時のＴＲジャックとＴＲジャック制御片と編針を示す図である。
【図８】第２の実施の形態を示す図である。
【符号の説明】
【００４３】
１  横編機
２ａ，２ｂ  ニードルベッド
４  ＴＲジャック溝
６，１０２  ＴＲジャック
８  ＴＲジャックベッド
１２  ニードルプレート
１４  針溝
１６  編針
２６  スライダー
３０ａ，３０ｂ  キャリッジ
３４  フック
３６  ループ
３８  肩部
４０  帯金
４２  歯口
４４ａ，４４ｂ  シンカー
４８，１２２  ループ係止部
５０ａ，５０ｂ  選針用バット
５４  ＴＲジャック進退制御用バット
５６  下げカム作用部
５８  傾斜面
６０，１１８  仮想軸
６４，１１０  ＴＲジャック制御片
６６  ＴＲジャック制御片後端部
６８，１２０  係合面
７０  切り欠き部
７２  膨出部
７４  ＴＲジャック制御片進退制御用バット
８０ａ，８０ｂ  選針アクチュエータ
８２  ＴＲジャック制御カム
９８  下げカム
【図１】
0004191928.tif 000002
【図２】
0004191928.tif 000003
【図３】
0004191928.tif 000004
【図４】
0004191928.tif 000005
【図５】
0004191928.tif 000006
【図６】
0004191928.tif 000007
【図７】
0004191928.tif 000008
【図８】
0004191928.tif 000009